(57)【要約】【課題】動作モードの切り換えにより、完成検査後に車載バッテリを取り外しても警報を発することがなく、内部電源の消費を抑えられる異常検知および車両追跡装置を提供する。【解決手段】自動二輪車１に車載バッテリ６３が接続されていない場合に、加速度センサ３０やＣＰＵ５０等に駆動電力を供給可能な内部電源６６と、異常検知装置１０に設けられた複数の動作モードを切り換える動作モード切換手段１７とを具備する。複数の動作モードは、車載バッテリが非接続状態でも内部電源６６の使用を禁止するトランスポーテーションモードＭ１（以下、モードＭ１）を含む。動作モードは、車載バッテリ６３が最初に接続される前の初期状態でモードＭ１に設定される。動作モード切換手段１７は、モードＭ１にあるときに、車載バッテリ６３が接続され、かつ所定の動作モード切換操作が実行されると、異常検知および警告動作が可能なノーマルモードＭ４に移行させる。【選択図】図９
2010208382.tif 000002
【特許請求の範囲】
【請求項１】
車両に加えられた振動等を検知するセンサを含む異常検知手段によって、車両の異常状態を検知すると共に、車両追跡機能を有する異常検知および車両追跡装置において、
前記車両に車載バッテリが接続されていない場合に、前記異常検知手段を含む異常検知および車両追跡装置に駆動電力を供給可能な内部電源と、
前記異常検知および車両追跡装置に設けられた複数の動作モードを切り換える動作モード切換手段とを具備し、
前記複数の動作モードは、前記車載バッテリが取り外されたことを前記異常検知手段により検知した場合に、前記内部電源を使用して前記異常検知および車両追跡装置を作動させる第１の動作モード（ノーマルモード）と、前記内部電源の使用を禁止する第２の動作モード（トランスポーテーションモード）とを含むことを特徴とする異常検知および車両追跡装置。
【請求項２】
前記複数の動作モードは、前記車載バッテリが最初に接続される前の初期状態において、前記第２の動作モードに設定されており、前記車載バッテリを接続することにより前記第１の動作モードに切り換え可能となるように設定されていることを特徴とする請求項１に記載の異常検知および車両追跡装置。
【請求項３】
前記複数の動作モードは、前記動作モードが前記第２の動作モードにあるときに、前記車載バッテリが接続され、かつ所定の動作モード切換操作が実行されると、前記異常検知および車両追跡装置の検査が可能な第３の動作モード（インスペクションモード）に移行されることを特徴とする請求項１または２に記載の異常検知および車両追跡装置。
【請求項４】
前記第２の動作モードから前記第１の動作モードへの動作モード切換操作は、車両の主電源のオンオフを切り換えるイグニッションスイッチの操作とチェックカプラの接続操作との組み合わせからなることを特徴とする請求項２に記載の異常検知および車両追跡装置。
【請求項５】
前記所定の動作モード切換操作は、車両の主電源のオンオフを切り換えるイグニッションスイッチのオンへの切り換えであることを特徴とする請求項３に記載の異常検知および車両追跡装置。
【請求項６】
前記動作モード切換手段は、前記第３の動作モード（インスペクションモード）にあるときに、前記イグニッションスイッチがオフに切り換えられ、かつ前記車載バッテリが非接続状態となると、前記第２の動作モード（トランスポーテーションモード）に移行させることを特徴とする請求項５に記載の異常検知および車両追跡装置。
【発明の詳細な説明】
【技術分野】
【０００１】
本発明は、異常検知および車両追跡装置に係り、特に、乗員の降車中にバッテリが取り外された異常等を検知すると警報を発するようにした異常検知および車両追跡装置に関する。
【背景技術】
【０００２】
従来から、停車中に車体に加えられた振動等を検知して、警報を発したりエンジンを始動不能としたりする異常検知装置が知られている。
【０００３】
特許文献１には、車両に加えられる振動を検知する第１アンテナおよび第２アンテナからなるセンサを設け、乗員降車時の不正運搬等を検知すると、車両のホーンやランプで警報を行うようにした異常検知装置が開示されている。
【先行技術文献】
【特許文献】
【０００４】
【特許文献１】特開２００５−３２９７３３号公報
【発明の概要】
【発明が解決しようとする課題】
【０００５】
しかしながら、特許文献１に記載された異常検知装置は、車載バッテリが取り外された状態でも警告手段を作動可能とするための内部電源を備えていないため、バッテリが外された際に警報を発することができない。その対応のために、システムに内部電源を備えるようにした場合には、バッテリが取り外された時に警報を発することができるようになるものの、工場の完成検査でバッテリを一端つないでシステムの作動検査をした後にバッテリを外すと警報が作動してしまうことになる上、内部電源を消耗してしまう。
【０００６】
本発明の目的は、上記従来技術の課題を解決し、バッテリが外された時にでも警報を作動させることができる上に、動作モードを切り換えることで、工場の検査から販売店での車両のユーザへの受け渡しまでの間で、警報を発することなくバッテリを外しておくことができ、かつ車載バッテリの非接続状態における内部電源の消費を抑えることができる異常検知および車両追跡装置を提供することにある。
【課題を解決するための手段】
【０００７】
前記目的を達成するために、本発明は、車両に加えられた振動等を検知するセンサを含む異常検知手段によって、車両の異常状態を検知すると共に、車両追跡機能を有する異常検知および車両追跡装置において、前記車両に車載バッテリが接続されていない場合に、前記異常検知手段を含む異常検知および車両追跡装置に駆動電力を供給可能な内部電源と、前記異常検知および車両追跡装置に設けられた複数の動作モードを切り換える動作モード切換手段とを具備し、前記複数の動作モードは、前記車載バッテリが取り外されたことを前記異常検知手段により検知した場合に、前記内部電源を使用して前記異常検知および車両追跡装置を作動させる第１の動作モード（ノーマルモード）と、前記内部電源の使用を禁止する第２の動作モード（トランスポーテーションモード）とを含む点に第１の特徴がある。
【０００８】
また、前記複数の動作モードは、前記車載バッテリが最初に接続される前の初期状態において、前記第２の動作モードに設定されており、前記車載バッテリを接続することにより前記第１の動作モードに切り換え可能となるように設定されている点に第２の特徴がある。
【０００９】
また、前記複数の動作モードは、前記動作モードが前記第２の動作モードにあるときに、前記車載バッテリが接続され、かつ所定の動作モード切換操作が実行されると、前記異常検知および車両追跡装置の検査が可能な第３の動作モード（インスペクションモード）に移行される点に第３の特徴がある。
【００１０】
また、前記第２の動作モードから前記第１の動作モードへの動作モード切換操作は、車両の主電源のオンオフを切り換えるイグニッションスイッチの操作とチェックカプラの接続操作との組み合わせからなる点に第４の特徴がある。
【００１１】
また、前記所定の動作モード切換操作は、車両の主電源のオンオフを切り換えるイグニッションスイッチのオンへの切り換えである点に第５の特徴がある。
【００１２】
さらに、前記動作モード切換手段は、前記第３の動作モード（インスペクションモード）にあるときに、前記イグニッションスイッチがオフに切り換えられ、かつ前記車載バッテリが非接続状態となると、前記第２の動作モード（トランスポーテーションモード）に移行させる点に第６の特徴がある。
【発明の効果】
【００１３】
第１の特徴によれば、車両に車載バッテリが接続されていない場合に、異常検知手段を含む異常検知および車両追跡装置に駆動電力を供給可能な内部電源と、異常検知および車両追跡装置に設けられた複数の動作モードを切り換える動作モード切換手段とを具備し、複数の動作モードは、車載バッテリが取り外されたことを異常検知手段により検知した場合に、内部電源を使用して異常検知および車両追跡装置を作動させる第１の動作モード（ノーマルモード）と、内部電源の使用を禁止する第２の動作モード（トランスポーテーションモード）とを含むので、動作モードを切り換えることで、バッテリの取り外しを検知して異常を検知することができる上に、工場でシステムの検査を行った後でバッテリを取り外すことが可能となり、電源の消耗を抑えることができる。これにより、例えば、工場出荷時にトランスポーテーションモードに設定しておけば、出荷後に車載バッテリが接続されるまでの間に、内部電源が消耗することを防ぐことができる。また、工場から販売店等への運搬中に異常検知および車両追跡装置が作動することを防止できる。
【００１４】
第２の特徴によれば、複数の動作モードは、車載バッテリが最初に接続される前の初期状態において第２の動作モードに設定されており、車載バッテリを接続することにより第１の動作モードに切り換え可能となるように設定されているので、第２の動作モードに設定する操作等が不要となる上、販売店等において所定の動作モード切換操作を行うことで、工場から販売店への運搬等に適した第２の動作モード（トランスポーテーションモード）から、異常検知機能が有効となる第１の動作モード（ノーマルモードに切り換える）に切り換えることが可能となる。これにより、内部電源の消耗を確実に防止することができる。
【００１５】
第３の特徴によれば、複数の動作モードは、動作モードが第２の動作モードにあるときに、車載バッテリが接続され、かつ所定の動作モード切換操作が実行されると、異常検知および車両追跡装置の検査が可能な第３の動作モード（インスペクションモード）に移行されるので、工場等において異常検知および車両追跡装置の検査を実行できる。
【００１６】
第４の特徴によれば、第２の動作モードから第１の動作モードへの動作モード切換操作は、車両の主電源のオンオフを切り換えるイグニッションスイッチの操作とチェックカプラの接続操作との組み合わせからなるので、例えば、「チェックカプラを接続してからイグニッションスイッチをオンにし、次にチェックカプラを外す」というように、動作モード切換操作の手順を複雑にして、正式な手順を知らない第３者が動作モード切換操作を行うことを難しくすることが可能となる。
【００１７】
第５の特徴によれば、所定の動作モード切換操作は、車両の主電源のオンオフを切り換えるイグニッションスイッチのオンへの切り換えであるので、工場からの出荷前等に、任意に第２の動作モード（トランスポーテーションモード）から第３の動作モード（インスペクションモード）に切り換えて異常検知および車両追跡装置の検査を行うことが可能となる。
【００１８】
第６の特徴によれば、動作モード切換手段は、第３の動作モード（インスペクションモード）にあるときに、イグニッションスイッチがオフに切り換えられ、かつ車載バッテリが非接続状態となると、第２の動作モード（トランスポーテーションモード）に移行させるので、異常検知および車両追跡装置の検査が終了すれば、再度、運搬等に適したモードに戻すことができる。
【図面の簡単な説明】
【００１９】
【図１】本発明の一実施形態に係る異常検知装置（異常検知および車両追跡装置）の通信システムを示す概念図である。
【図２】本実施形態に係る異常検知装置およびその周辺機器の構成を示すブロック図である。
【図３】電話機を用いて異常検知装置の故障診断を実行する際の流れを示すタイムチャートである。
【図４】本実施形態の変形例に係る異常検知装置およびその周辺機器の回路図である。
【図５】チェックカプラを用いた場合の故障診断の流れを示すタイムチャートである。
【図６】動作モード切換手段の構成を示すブロック図である。
【図７】動作モード切換制御の構成を示した状態遷移図である。
【図８】トランスポーテーションモードＭ１からノーマルモードＭ４への移行時の手順を示すフローチャートである。
【図９】トランスポーテーションモードＭ１からノーマルモードＭ４への移行時の手順を示すタイムチャートである。
【発明を実施するための形態】
【００２０】
以下、図面を参照して本発明の好ましい実施の形態について詳細に説明する。図１は、本発明の一実施形態に係る異常検知および車両追跡装置（以下、異常検知装置と示すこともある）の通信システムを示す概念図である。自動二輪車１には、車両の異常状態を検知して警告を発する異常検知装置１０が取り付けられている。異常検知装置１０は、車両の停車中に、車体に取り付けられた加速度センサ等から所定値を超える信号が出力されると、車両が異常状態であると判定して、車両のホーンや灯火器等を作動させて警告するように構成されている。
【００２１】
異常検知装置１０は、公共電話局２と通信可能な車載電話機（図２参照）を備えている。これにより、電話機３から、公共電話局２を介して異常検知装置１０に電話をかけることが可能である。電話機３は、公共電話局２にアクセスできるものであれば、携帯電話でも固定電話でもよい。本実施形態では、異常検知装置１０の車載電話機の通信規格に、携帯電話の規格であるＧＳＭ（Global System for Mobile Communications）を適用しており、電話機３から異常検知装置１０へ電話をかけることは、ＧＳＭを運用する多くの国において可能である。
【００２２】
図２は、本実施形態に係る異常検知装置１０およびその周辺機器の構成を示すブロック図である。異常検知装置１０は、例えば、１００ｍｍ×１００ｍｍ×２０ｍｍ程の樹脂ケース等で覆われ、スイッチ等の操作手段を持たない制御装置であり、例えば、自動二輪車のシートの下部や燃料タンクの下部等、第三者が容易にアクセスしにくい位置に配置されている。異常検知装置１０は、公共電話局２と通信するための送受信アンテナ１６を備えた車載電話機１１と、車載電話機１１による送受信信号の解析等を行う通信制御部１２と、異常検知装置１０の故障の有無等を診断する故障診断手段１４と、故障診断手段１４による診断結果等を表示する表示手段１３と、各種センサ等の出力信号に基づいて車両の異常状態を判定する異常状態判定手段１５とを含む。なお、車載電話機１１は、異常検知装置１０の外部に設けられてもよい。また、通信制御部１２は、予め登録された所定の電話機以外からのアクセスを拒否するように設定することもできる。
【００２３】
なお、車載電話機１１による無線通信を行うためには、車両の所有者がプロバイダ４と通信契約を結ぶ必要がある。プロバイダ４と通信契約を結ぶか否かは、車両の所有者が任意に選択することができる。異常検知装置１０は、ユーザがプロバイダ４と通信契約を結んでいない場合でも、車体に加えられた振動等に基づいて警告手段４０を作動させる通常の異常検知装置として使用することができる。以下、車載電話機１１による通信が行われる場合は、すべてプロバイダ４との通信契約を結んでいるものとして説明する。
【００２４】
異常状態判定手段１５には、車体に加えられた振動等を検知する加速度センサ３０、車体の前後左右の傾斜角を検知する傾斜センサ３１、電源回路へのアクセス等を監視するためにバッテリ電圧の変化を検出する電圧センサ３２からの出力信号が入力されている。異常状態判定手段１５は、例えば、各種センサの少なくとも１つの出力信号が所定値を超えると、車両が異常状態にあると判定する。異常検知装置１０は、異常状態が検知されたことを、車載電話機１１を介してユーザ等の電話機３に送信できるように構成されている。このとき、電話機３の表示手段としてのディスプレイに、異常状態が検知された時刻や作動したセンサの種類等を表示することができる。
【００２５】
また、異常状態判定手段１５には、ＧＰＳ（Global Positioning System：全地球測位システム）２０が接続されている。ＧＰＳ２０は、車両の通常走行時には、車載ナビゲーションシステムの運用に使用されているが、本実施形態に係る異常検知装置１０では、万一の異常発生時に、車両の現在位置や異常発生時からの移動履歴等を、車載電話機１１を介して電話機３等に伝える車両追跡機能に利用できるように構成されている。
【００２６】
また、異常状態判定手段１５に接続されるエンジン制御装置としてのＥＦＩ（電子制御燃料噴射装置）２１は、異常状態判定手段１５からの指令によってその駆動を停止できるように構成されている。これにより、万一の異常発生時には、ＥＦＩ２１を自動的に停止させて車両を走行不能にすることが可能である。また、ＥＦＩ２１の停止は、電話機３の操作によって任意に実行することもできる。なお、異常状態判定手段１５からの指令で制御されるエンジン制御装置は、点火プラグの点火装置や、各種アクチュエータ等とすることもできる。
【００２７】
本実施形態に係る異常検知装置１０は、故障診断手段１４によって、異常検知装置１０が正常に機能しているか否かを診断する、すなわち、異常検知装置１０の自己故障診断（ダイアグノーシス）を実行することが可能である。故障診断手段１４は、例えば、異常状態判定手段１５の不具合により、各種センサが所定値を超える信号を出力してもこれを異常と判定できない状態等を検知することができる。さらに、故障診断手段１４は、各種センサの出力信号が正常に入力されない状態や、各種センサそのものの故障等も診断可能である。このような故障が検知された場合、故障診断手段１４は、故障の種類や対処方法等を表示手段１３に表示するように設定されている。
【００２８】
上記したような構成により、車両の整備者等は、電話機３から異常検知装置１０に電話をかけることで異常検知装置１０の故障診断を実行すると共に、表示手段１３によってその診断結果を知ることができる。なお、表示手段１３には、発光ダイオード（ＬＥＤ）や液晶画面等を適用することが可能である。
【００２９】
図３は、電話機３を用いて異常検知装置１０の自己故障診断処理を実行する際の流れを示すタイムチャートである。ステップＳ１０において、車両の整備者等が電話機３から異常検知装置１０に電話をかけると、ステップＳ１１では、異常検知装置１０の車載電話機１１がこれを受信する。続くステップＳ１２では、表示手段１３に受信完了の表示がされる。これにより、整備者等は電話回線が接続されたことを目視で確認することができる。なお、前記ステップＳ１０における電話をかける手順は、車載電話機１１に固有の電話番号を、固定電話や携帯電話等からダイヤルすることで実行できる。
【００３０】
次に、ステップＳ２０では、電話機３に診断項目の番号（例えば、１〜５）を入力する。この診断項目は、例えば、異常検知装置１０の構成回路に短絡がないか、各種センサが正常に機能しているか否か等の内容で構成することができる。続くステップＳ２１では、入力された診断項目を車載電話機１１で受信し、ステップＳ２２では、表示手段１３に入力された診断項目が表示される。そして、ステップＳ４０では、表示手段１３に故障診断を実行する旨の表示が行われ、ステップＳ４１において、通信制御部１２から故障診断を開始する故障診断指示信号が出力されて、選択された診断項目の故障診断が故障診断手段１４により実行される。
【００３１】
上記したように、本実施形態に係る異常検知装置１０によれば、電話機３の操作によって異常検知装置１０の故障診断を実行することが可能となる。通常、故障診断を行うための専用機器が不要となるように、異常検知装置１０に自己診断機能を持たせると、通常の異常検知モード状態から、異常検知装置の機能が一時停止する故障診断モードに切り換えるスイッチ等の入力手段が必要となるが、本実施形態に係る異常検知装置１０によれば、第三者によって操作される可能性のある入力手段を設ける必要がないので、簡単な方法で異常検知装置の故障診断を実行できると共に、異常検知装置の高い異常検知効果を保つことが可能となる。
【００３２】
図４は、本実施形態に係る異常検知装置およびその周辺機器の回路図である。前記と同一符号は、同一または同等部分を示す。この回路図では、主に、異常検知装置１０と警告手段４０（後述するホーンおよびウインカ）との接続関係を示している。異常検知装置１０の中央演算装置としてのＣＰＵ５０には、図２に示したような異常判定手段および故障診断手段等が含まれている。また、本実施形態では、ＣＰＵ５０に接続されるＬＥＤ（発光ダイオード）を表示手段１３としている。
【００３３】
ＣＰＵ５０には、内部電源６６が接続されている。内部電源６６は、車載バッテリ６３が取り外されても、各種センサを作動し、該センサの出力信号に基づいて警告手段４０を駆動したり、車載電話機１１による通信を可能にするために備えられている。ＣＰＵ５０は、車載バッテリ６３が接続されていれば車載バッテリ６３の電力で駆動し、内部電源６６は、不使用状態とされている。この通常時において、内部電源１０は、車載バッテリ６３からの供給電力によって満充電状態が保たれており、車載バッテリ６３が取り外された場合にのみ使用状態に切り換わるように設定されている。
【００３４】
異常検知装置１０には、複数の入出力ポートが設けられている。入力ポート８０からは、メインヒューズ６４を介して車載バッテリ６３の電力が供給される。また、入力ポート８１，８２は、車両の主電源を断接するイグニッションスイッチ６０およびストップランプ４３を点灯させるストップランプスイッチ６１の操作状態の監視に使用される。
【００３５】
自動二輪車１には、ホーンスイッチ６２の操作に伴って作動するホーン４１と、ウインカスイッチ（不図示）の操作に伴って点滅するウインカ灯４２とが設けられている。このホーン４１およびウインカ灯４２は、通常時は、イグニッションスイッチ６０がオン状態でないと各スイッチを操作しても作動しない。しかし、車両の停車中に異常状態が検知されると、ＣＰＵ５０は、トランジスタ５３，５４をオンに切り換え、出力ポート８３，８４を介してリレー７０，７２を駆動することで、ホーン４１およびウインカ灯４２を警告手段４０として作動させる。
【００３６】
また、ＣＰＵ５０は、車両の異常状態が検知されると、入出力ポート８５に接続されるトランジスタ５１を駆動して、ＥＦＩ２１を停止させることができる。さらに、入出力ポート８６に接続される車載電話機１１を用いて、車両の異常状態を所定の電話機に送信することが可能である。
【００３７】
そして、本実施形態に係る異常検知装置１０では、電話機３から車載電話機１１に電話をかけて故障診断を行う際に、入力ポート８７を介して接続されるチェックカプラ９０を用いるように構成されている。チェックカプラ９０は、例えば、スイッチを有する雄カプラからなる小型の機器であり、この雄カプラを、入力ポート８７に連結された雌カプラに接続することで、スイッチの入力信号がＣＰＵ５０に入力可能となるように構成することができる。ここで、図５を参照して、チェックカプラ９０を用いて故障診断を実行する場合の流れを説明する。
【００３８】
図５は、前記チェックカプラ９０を用いた場合の故障診断の流れを示すタイムチャートである。前記と同一符号は、同一または同等部分を示す。本変形例では、電話機３から入力された暗証コードと、チェックカプラ９０から入力された暗証コードとを照合することで、第三者によるアクセスを防ぐ認証処理を実行する点に特徴がある。このタイムチャートでは、図３に示したステップ２２（診断項目表示）と、ステップＳ４０（診断実行表示）との間で、一連の認証処理を行うように設定されている。
【００３９】
ステップＳ３０では、電話機３に暗証コードを入力し、ステップＳ３１では、入力された暗証コードを車載電話機１１で受信する。続くステップＳ３２では、チェックカプラ９０のオンオフ操作によって暗証コードを入力する。そして、ステップＳ３３では、異常検知装置１０によって暗証コードの認証が行われる。この認証処理は、異常検知装置１０の通信制御部１２（図２参照）で実行される。
【００４０】
そして、ステップＳ３３による認証処理が正常に完了すると、ステップＳ４０において、表示手段１３に故障診断を実行する旨の表示が行われると共に、ステップＳ４１において選択された診断項目の故障診断が実行されることとなる。すなわち、本実施形態では、電話機３から入力された暗証コードとチェックカプラ９０から入力された暗証コードとが相違する場合には、異常検知装置の故障診断を実行しないことで、第三者によって故障診断が行われることを防止している。なお、暗証コードの種類やチェックカプラの形態等は種々の変形が可能であり、例えば、スイッチ等を持たないチェックカプラの接続状態を切り換える動作によって暗証コードを入力することもできる。
【００４１】
図４に戻って、異常検知装置１０に設けられた出力ポート８８，８９は、各種の車載機器との接続用に設けられている。ＣＰＵ５０に接続されるシリアルライン５５およびＫライン（K-line）５６は、ジャンパセレクト５７によって任意に出力ポート８９との接続状態を切り換えることができる。シリアルライン５５およびＫライン５６は、各種車載機器の故障診断等に用いられる通信規格であり、出力ポート８９に車載機器を接続した後に、電話機３から異常検知装置１０に電話をかけてその故障診断を実行することが可能となる。なお、前記したＥＦＩ２１も、このＫライン５６を用いてＣＰＵ５０と接続し、その故障診断を実行することができる。また、異常検知装置１０に設けられる入出力ポートの種類や個数等は、上記実施形態に限られず種々の変形が可能である。
【００４２】
図６は、異常検知装置１０における動作モード切換手段１７の構成を示すブロック図である。動作モード切換手段１７は、前記ＣＰＵ５０内に設けられている。異常検知装置１０には、全８種類の動作モードが設けられており、動作モード切換手段１７は、各種スイッチ等からの入力情報に基づいて、動作モードの相互切り換えができるように構成されている。動作モードは、以下に示す８種が設けられている。
１．トランスポーテーションモード（第２の動作モード。工場から販売店への運搬時を想定。内部電源を使用禁止とし、車載バッテリが接続されるまでの間の電力消費を抑える）
２．インスペクションモード（第３の動作モード。異常検知装置の検査時を想定）
３．ウェイクアップモード（ノーマルモードへの切り換え操作を受け付ける）
４．ノーマルモード（第１の動作モード。走行中等の通常使用時を想定。車体に加えられた振動等を検知しても警告手段を作動させない）
５．給油モード（ユーザによる給油時（イグニッションＳＷオフ）を想定。車体に加えられた振動等を検知しても警告手段を作動させない）
６．スリープモード（イグニッションＳＷオフの通常降車時を想定。車体に加えられた振動等の検知に伴って警告手段を作動させる）
７．セフトモード（イグニッションキーが付いたまま車両が移動等された状態を想定。車両が異常状態であることをユーザが電話機を用いて異常検知装置に認識させて、警告手段を作動させる）
８．アラームセフトモード（イグニッションキーを抜いた状態で異常が発生した状態を想定。警告手段を作動させると共に、ユーザの電話機等に通知する）
【００４３】
また、動作モード切換手段１７には、プロバイダ４と通信契約を結んでいるか否かの情報を入力するプロバイダ契約情報入力手段２２、車両の主電源をオンオフするイグニッションＳＷ（スイッチ）６０、ブレーキレバーおよびブレーキペダルの操作を検知するストップランプＳＷ（スイッチ）６１、前記したチェックカプラ９０、ユーザ等から送信されたセフトモード解除信号を入力するセフトモード解除信号入力手段２３、車載バッテリ６３の電圧値を常時監視する電圧センサ３２、各種の所定時間を計測するタイマ２７からの信号が入力されている。なお、異常検知装置１０は、内部電源６６および電圧センサ３２を有することで、異常検知装置１０の機能を停止させるために車載バッテリ６３が取り外された場合でも警報を発することができる。
【００４４】
図７は、本実施形態に係る動作モード切換制御の構成を示した状態遷移図である。出荷状態とは、工場で完成した車両にまだ車載バッテリ６３が接続されていない状態を示す。車載バッテリ６３は、通常、販売店に到着後、例えば、車両がユーザに引き渡される際に接続される。この出荷状態において、異常検知装置１０の動作モードは、第２の動作モードとしてのトランスポーテーションモードＭ１にある。トランスポーテーションモードＭ１では、異常検知機能を有効にする必要がないため、満充電状態の内部電源６６を使用禁止として、車載バッテリ６３が接続されるまでの内部電源６６の消耗を抑えるように設定されている。
【００４５】
次に、車載バッテリ６３を接続すると、動作モードは、ノーマルモードＭ４への切換操作を受け付けるウェイクアップモードＭ３に移行する。一方、車載バッテリ６３を接続し、かつイグニッションＳＷ（スイッチ）６０をオンに切り換えると、動作モードはインスペクションモードＭ２に移行する。このインスペクションモードＭ２は、工場や販売店等において、異常検知装置１０の検査等を実行するために設定されている。したがって、工場での完成車検査において、一旦、車載バッテリを接続してインスペクションモードＭ２に切り換え、システムの検査を行い、検査後にモードをトランスポーテーションモードＭ１に切り換えた後に、車載バッテリを切り離して、販売店に輸送することになる。これにより、バッテリを一旦接続してシステムの検査が行え、かつ取り外した時にシステムが誤作動してしまうことがないので、車載バッテリを取り外しておくことができ、ユーザに車両を買ってもらうまでの間に車載バッテリを放電させることがない上に、内部電源も消耗されることがない。異常検知装置１０の検査は、例えば、チェックカプラ９０を接続した際に、表示手段（ＬＥＤ）１３が予定通りに点灯するか否か確認等により実行できる。なお、インスペクションモードＭ２において、イグニッションＳＷ６０をオフにし、かつ車載バッテリ６３を取り外すと、トランスポーテーションモードＭ１に戻る。
【００４６】
そして、ウェイクアップモードＭ３において、所定の動作モード切換操作を行うと、ユーザによる通常使用時を想定したノーマルモードＭ４に移行する。ノーマルモードＭ４は、加速度センサ３０や傾斜センサ３１等を作動させるが、各種センサからの出力信号に基づく警告手段４０の作動を禁止するように設定されている。これにより、走行中等に警告手段４０が作動することがなく、また、加速度センサ３０や傾斜センサ３１等の出力信号を燃料噴射制御や点火制御に使用することが可能となる。ウェイクアップモードＭ３からノーマルモードＭ４へ移行させる際の、動作モード切換操作の詳細に関しては後述する。
【００４７】
異常検知装置１０は、ノーマルモードＭ４に移行すると、ユーザが所定のプロバイダ４と通信契約を結んでいるか否かの確認を行う。そして、通信契約が結ばれていれば、動作モードをプロバイダ契約ありノーマルモードＭ８に移行させ、一方、通信契約が結ばれていなければ、動作モードをプロバイダ契約なしノーマルモードＭ５に移行させる。
【００４８】
プロバイダ契約ありノーマルモードＭ８において、車両のイグニッションＳＷ６０がオフにされ、かつ所定時間（例えば、１分）が経過すると、動作モードはスリープモードＭ１０に移行する。このスリープモードＭ１０において、車体に振動等が加えられて異常状態であることが検知されると、アラームセフトモードＭ１１に移行する。アラームセフトモードＭ１１では、イグニッションキーが車体から取り外された状態で異常状態となった場合を想定しており、このとき、異常検知装置１０は、警告手段４０を作動させると共に、車両が異常状態であることをユーザの携帯電話やパソコン等に通知することができる。
【００４９】
また、スリープモードＭ１０にあるときに、ユーザが車体を揺らしてしまった等、アラームセフトモードＭ１１に誤って移行してしまった場合には、例えば、ユーザの電話機３を用いて異常検知装置１０にスリープモード移行信号を送ることで、スリープモードＭ１０に戻すことができる。なお、スリープモードＭ１０において、イグニッションＳＷ６０をオンにすると、プロバイダ契約ありノーマルモードＭ８に戻る。
【００５０】
一方、給油の際は、イグニッションＳＷ６０がオフの状態で、かつユーザ等が車体を揺らしてしまう可能性がある。そこで、プロバイダ契約ありノーマルモードＭ８から、ブレーキレバー等を操作してストップランプＳＷ６１をオンにしたまま、かつイグニッションＳＷ６０のオフ→オン→オフの操作を行うと、各種センサが振動等を検知しても警告手段４０を作動させない給油モードＭ１２に移行するように設定されている。なお、給油モードＭ１２において、イグニッションＳＷ６０をオンにすると、プロバイダ契約ありノーマルモードＭ８に戻る。
【００５１】
また、イグニッションキーを差し込んだ状態、すなわち、第３者によりイグニッションＳＷ６０がオンにできる状態で異常状態に至る可能性もある。このとき、実際は異常状態であっても、異常検知装置１０は、イグニッションキーを用いた正常な操作が行われているため警告手段４０を作動させることはない。しかしながら、プロバイダ契約を結んでいる場合には、例えば、異常に気付いたユーザが、電話機３等から異常検知装置１０に電話をかけて、異常検知装置１０に異常状態であることを認識させることができる。
【００５２】
これにより、異常検知装置１０は、例えば、異常状態にある車両が走行中であっても、警告手段４０を作動させたり、燃料噴射装置を停止させることが可能となる。さらに、前記したＧＰＳの機能を用いて、車両の現在位置を知ることもできる。なお、セフトモードＭ９にあるときに、ユーザが電話機３等によってセフトモード解除信号を送信すると、プロバイダ契約ありノーマルモードＭ８に戻る。
【００５３】
上記では、プロバイダ契約済の動作を説明したが、プロバイダ契約を結んでいない場合は、車載電話機１１に電話をかけることによる異常検知装置１０の遠隔操作や、ＧＰＳによる位置探知機能等を利用することができない。プロバイダ契約なしノーマルモードＭ５において、イグニッションＳＷ６０をオフにし、かつ所定時間（例えば、１分）が経過すると、スリープモードＭ７に移行する。このスリープモードＭ７において、車体に振動等が加えられて異常状態であることが検知されると、警告手段４０の作動のみが行われる。なお、スリープモードＭ７にあるときにイグニッションＳＷ６０をオンにすると、プロバイダ契約なしノーマルモードＭ５に戻る。
【００５４】
また、プロバイダ契約なしノーマルモードＭ５から、ブレーキレバー等を操作してストップランプＳＷ６１をオンにし、かつイグニッションＳＷ６０のオフ→オン→オフの操作を行うと、各種センサが振動等を検知しても警告手段４０が作動しない給油モードＭ１２に移行する。この給油モードＭ６において、イグニッションＳＷ６０をオンにすると、プロバイダ契約なしノーマルモードＭ６に戻る。
【００５５】
以下、図８のフローチャートおよび図９のタイムチャートを参照して、トランスポーテーションモードＭ１からノーマルモードＭ４に移行させる手順を説明する。図８を参照して、ステップＳ１０１では、トランスポーテーションモードＭ１において車載バッテリ６３が接続されたか否かが判定される。ステップＳ１０１で肯定判定されると、ステップＳ１０２へ進んで、動作モードをウェイクアップモードＭ３に移行させる。ステップＳ１０１で否定判定されると、ステップＳ１０１の判定に戻る。
【００５６】
続くステップＳ１０３では、チェックカプラ９０が接続されたか否かが判定される。ステップＳ１０３で肯定判定されると、ステップＳ１０４に進んで、イグニッションＳＷ６０がオンにされたか否かが判定される。ステップＳ１０４で肯定判定されると、ステップＳ１０５に進む。一方、ステップＳ１０３およびＳ１０４で否定判定された場合には、それぞれの判定に戻る。
【００５７】
ステップＳ１０５では、イグニッションＳＷ６０がオンにされてから５秒以内にチェックカプラ９０が外されたか否かが判定される。ステップＳ１０５で肯定判定されると、ステップＳ１０６に進んで、チェックカプラ９０を外してから５秒以内に再度取り付けられたか否かが判定される。そして、ステップＳ１０６で肯定判定されると、ステップＳ１０７に進んで、動作モードをノーマルモードＭ４に移行し、一連の処理を終了する。なお、ステップＳ１０５およびＳ１０６で否定判定された場合には、それぞれ、正しい切換操作が行われなかったとして、ウェイクアップモードＭ３のまま一連の処理を終了する。
【００５８】
上記したようなノーマルモード移行処理によれば、予め定められた正しい動作モード切換操作手順を知る者（例えば、販売店の店員）でなければ、トランスポーテーションモードＭ１からノーマルモードＭ４へ移行させることを難しくすることができる。
【００５９】
次に、図９を参照して、再度、トランスポーテーションモードＭ１からノーマルモードＭ４への移行手順を説明する。このタイムチャートでは、上から、イグニッションＳＷ６０のオンオフ状態、車載バッテリ６３の電圧値、内部電源６６の使用状態、異常検知装置１０の動作モード、チェックカプラ９０の接続状態（オープン：切り離し、ショート：接続）、表示手段（ＬＥＤ）１３の点灯状態を示している。
【００６０】
異常検知装置１０の動作モードは、時刻ｔ１で車載バッテリ６３が接続されるまでは、工場出荷時のトランスポーテーションモードＭ１にある。前記したように、トランスポーテーションモードＭ１は、車載バッテリ６３が接続されていない場合でも内部電源６６を使用しないようにして内部電源６６の消耗を防ぐモードである。
【００６１】
時刻ｔ１で車載バッテリ６３が接続されると、動作モードはウェイクアップモードＭ３に移行する。次に、時刻ｔ２でチェックカプラ９０が接続され、さらに、時刻ｔ３でイグニッションＳＷ６０がオンに切り換えられると、表示手段１３が点滅を開始する。この点滅は、例えば、０．５秒間隔で点灯と消灯を繰り返すように設定することができる。
【００６２】
そして、時刻ｔ３から所定時間ΔｔＡ（本実施形態では、５秒以内）後の時刻ｔ４においてチェックカプラ９０が切り離され、かつ時刻ｔ４から所定時間ΔｔＢ（本実施形態では、５秒以内）後の時刻において、再度チェックカプラ９０が接続されると、動作モードがノーマルモードＭ４に移行する。
【００６３】
時刻ｔ５からは、表示手段１３が連続点灯状態となることで、ノーマルモードＭ４への移行完了を作業者に通知する。この連続点灯状態となった表示手段１３は、時刻ｔ８において、イグニッションＳＷ６０をオフにすることで消灯する。最後に、時刻ｔ６でチェックカプラ９０を取り外すと、一連の作業が終了となる。
【００６４】
なお、一度、ウェイクアップモードＭ３からノーマルモードＭ４への動作モード切換操作が行われると、再び、ウェイクアップモードＭ３およびトランスポーテーションモードＭ１へ移行することはない。例えば、スリープモードＭ１０において車載バッテリ６３が取り外されると、第３者によるバッテリ取り外しが行われたと判断して、動作モードをアラームセフトモードＭ１１へ移行させるように設定されている。
【００６５】
なお、時刻ｔ６でイグニッションＳＷ６０をオフにした後、所定時間が経過した時刻ｔ７に至ると、動作モードはスリープモードＭ１０に移行する。そして、スリープモードＭ１０において、イグニッションＳＷ６０をオンにすると、スリープモードＭ１０からノーマルモードＭ４（プロバイダ契約済の場合は、プロバイダ契約ありノーマルモードＭ８）に戻る。これと共に、動作モードの移行が正常に完了したことを知らせるため、表示手段１３が、時刻ｔ９までの所定時間ΔｔＣの間だけ点灯するように構成されている。
【００６６】
上記したように、本発明に係る異常検知装置によれば、異常検知装置に複数の動作モードに、車載バッテリが接続されていない状態でも異常検知装置の内部電源を不使用状態とするトランスポーテーションモードを含むようにしたので、例えば、工場出荷時にトランスポーテーションモードに設定しておけば、出荷後に車載バッテリが接続されるまでの間に、内部電源が不要に消耗してしまうことを防ぐことが可能となる。
【００６７】
なお、異常検知装置の構成や配置、異常状態を検知する各種センサや警告手段の種類、表示手段の構成、通信制御部の機能、車載電話機の通信規格の種類、ＧＰＳの利用方法、表示手段の点灯パターン、ウェイクアップモードからノーマルモードへの切換操作の手順等は、上記実施形態に限られず、種々の変更が可能である。本発明に係る異常検知装置は、自動二輪車に限られず、三輪車や四輪車等に適用することが可能である。
【符号の説明】
【００６８】
１…自動二輪車（車両）、２…公共電話局、３…電話機、４…プロバイダ、１０…異常検知装置（異常検知および車両追跡）、１１…車載電話機、１２…通信制御部、１３…表示手段、１４…故障診断手段、１５…異常状態判定手段、１６…送受信アンテナ、１７…動作モード切換手段、２０…ＧＰＳ（全地球測位システム）、２１…ＥＦＩ（電子制御燃料噴射装置）、３０…加速度センサ、３１…傾斜センサ、３２…電圧センサ、４０…警告手段、６０…イグニッションＳＷ、６１…ストップランプＳＷ、６３…車載バッテリ、６６…内部電源、９０…チェックカプラ、Ｍ１…トランスポーテーションモード（第２の動作モード）、Ｍ２…インスペクションモード（第３の動作モード）、Ｍ３…ウェイクアップモード、Ｍ４…ノーマルモード、Ｍ５…プロバイダ契約なしノーマルモード（第１の動作モード）、Ｍ８…プロバイダ契約ありノーマルモード（第１の動作モード）、Ｍ９…セフトモード、Ｍ９…アラームセフトモード、Ｍ１０…スリープモード、Ｍ１１…アラームセフトモード、Ｍ１２…給油モード
【図１】
2010208382.tif 000003
【図２】
2010208382.tif 000004
【図３】
2010208382.tif 000005
【図４】
2010208382.tif 000006
【図５】
2010208382.tif 000007
【図６】
2010208382.tif 000008
【図７】
2010208382.tif 000009
【図８】
2010208382.tif 000010
【図９】
2010208382.tif 000011
【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
車両（１）に加えられた振動等を検知するセンサを含む異常検知手段（１５）によって、車両の異常状態を検知すると共に、車両追跡機能を有する異常検知および車両追跡装置（１０）において、
前記車両（１）に車載バッテリ（６３）が接続されていない場合に、前記異常検知手段（１５）を含む異常検知および車両追跡装置（１０）に駆動電力を供給可能な内部電源（６６）と、
前記異常検知および車両追跡装置（１０）に設けられた複数の動作モードを切り換える動作モード切換手段（１７）とを具備し、
前記複数の動作モードは、前記車載バッテリ（６３）が取り外されたことを前記異常検知手段（１５）により検知した場合に、前記内部電源（６６）を使用して前記異常検知および車両追跡装置（１０）を作動させる第１の動作モード（ノーマルモードＭ４）と、前記内部電源（６６）の使用を禁止する第２の動作モード（トランスポーテーションモードＭ１）とを含むことを特徴とする異常検知および車両追跡装置。
【請求項２】
前記複数の動作モードは、前記車載バッテリ（６３）が最初に接続される前の初期状態において、前記第２の動作モード（Ｍ１）に設定されており、前記車載バッテリ（６３）を接続することにより前記第１の動作モード（Ｍ４）に切り換え可能となるように設定されていることを特徴とする請求項１に記載の異常検知および車両追跡装置。
【請求項３】
前記複数の動作モードは、前記動作モードが前記第２の動作モード（Ｍ１）にあるときに、前記車載バッテリ（６３）が接続され、かつ所定の動作モード切換操作が実行されると、前記異常検知および車両追跡装置（１０）の検査が可能な第３の動作モード（インスペクションモードＭ２）に移行されることを特徴とする請求項１または２に記載の異常検知および車両追跡装置。
【請求項４】
前記第２の動作モード（Ｍ１）から前記第１の動作モード（Ｍ４）への動作モード切換操作は、車両（１）の主電源のオンオフを切り換えるイグニッションスイッチ（６０）の操作とチェックカプラ（９０）の接続操作との組み合わせからなることを特徴とする請求項２に記載の異常検知および車両追跡装置。
【請求項５】
前記所定の動作モード切換操作は、車両（１）の主電源のオンオフを切り換えるイグニッションスイッチ（６０）のオンへの切り換えであることを特徴とする請求項３に記載の異常検知および車両追跡装置。
【請求項６】
前記動作モード切換手段（１７）は、前記第３の動作モード（インスペクションモードＭ２）にあるときに、前記イグニッションスイッチ（６０）がオフに切り換えられ、かつ前記車載バッテリ（６３）が非接続状態となると、前記第２の動作モード（トランスポーテーションモードＭ１）に移行させることを特徴とする請求項５に記載の異常検知および車両追跡装置。
【手続補正２】
【補正対象書類名】明細書
【補正対象項目名】０００５
【補正方法】変更
【補正の内容】
【０００５】
しかしながら、特許文献１に記載された異常検知装置は、車載バッテリが取り外された状態でも警告手段を作動可能とするための内部電源を備えていないため、バッテリが外された際に警報を発することができない。その対応のために、システムに内部電源を備えるようにした場合には、バッテリが取り外された時に警報を発することができるようになるものの、工場の完成検査でバッテリを一旦つないでシステムの作動検査をした後にバッテリを外すと警報が作動してしまうことになる上、内部電源を消耗してしまう。
【手続補正３】
【補正対象書類名】明細書
【補正対象項目名】００３１
【補正方法】変更
【補正の内容】
【００３１】
上記したように、本実施形態に係る異常検知装置１０によれば、電話機３の操作によって異常検知装置１０の故障診断を実行することが可能となる。通常、故障診断を行うための専用機器が不要となるように、異常検知装置１０に自己診断機能を持たせると、通常の異常検知モード状態から、異常検知装置の機能が一時停止する故障診断モードに切り換えるスイッチ等の入力手段が必要となるが、本実施形態に係る異常検知装置１０によれば、第三者によって操作される可能性のある入力手段を設ける必要がないので、簡単な方法で異常検知装置の故障診断を実行できると共に、高い異常検知効果を保つことが可能となる。
【手続補正４】
【補正対象書類名】明細書
【補正対象項目名】００３３
【補正方法】変更
【補正の内容】
【００３３】
ＣＰＵ５０には、内部電源６６が接続されている。内部電源６６は、車載バッテリ６３が取り外されても、各種センサを作動し、該センサの出力信号に基づいて警告手段４０を駆動したり、車載電話機１１による通信を可能にするために備えられている。ＣＰＵ５０は、車載バッテリ６３が接続されていれば車載バッテリ６３の電力で駆動し、内部電源６６は、不使用状態とされている。この通常時において、内部電源６６は、車載バッテリ６３からの供給電力によって満充電状態が保たれており、車載バッテリ６３が取り外された場合にのみ使用状態に切り換わるように設定されている。
【手続補正５】
【補正対象書類名】明細書
【補正対象項目名】００６２
【補正方法】変更
【補正の内容】
【００６２】
そして、時刻ｔ３から所定時間ΔｔＡ（本実施形態では、５秒以内）後の時刻ｔ４においてチェックカプラ９０が切り離され、かつ時刻ｔ４から所定時間ΔｔＢ（本実施形態では、５秒以内）後の時刻ｔ５において、再度チェックカプラ９０が接続されると、動作モードがノーマルモードＭ４に移行する。
【手続補正６】
【補正対象書類名】明細書
【補正対象項目名】００６３
【補正方法】変更
【補正の内容】
【００６３】
時刻ｔ５からは、表示手段１３が連続点灯状態となることで、ノーマルモードＭ４への移行完了を作業者に通知する。この連続点灯状態となった表示手段１３は、時刻ｔ６において、イグニッションＳＷ６０をオフにすることで消灯する。最後に、時刻ｔ８でチェックカプラ９０を取り外すと、一連の作業が終了となる。
【手続補正７】
【補正対象書類名】明細書
【補正対象項目名】００６５
【補正方法】変更
【補正の内容】
【００６５】
なお、時刻ｔ６でイグニッションＳＷ６０をオフにした後、所定時間が経過した時刻ｔ７に至ると、動作モードはスリープモードＭ１０に移行する。そして、スリープモードＭ１０において、イグニッションＳＷ６０をオンにする（時刻ｔ９）と、スリープモードＭ１０からノーマルモードＭ４（プロバイダ契約済の場合は、プロバイダ契約ありノーマルモードＭ８）に戻る。これと共に、動作モードの移行が正常に完了したことを知らせるため、表示手段１３が、時刻ｔ１０までの所定時間ΔｔＣの間だけ点灯するように構成されている。
【手続補正８】
【補正対象書類名】明細書
【補正対象項目名】００６８
【補正方法】変更
【補正の内容】
【００６８】
１…自動二輪車（車両）、２…公共電話局、３…電話機、４…プロバイダ、１０…異常検知装置（異常検知および車両追跡装置）、１１…車載電話機、１２…通信制御部、１３…表示手段、１４…故障診断手段、１５…異常状態判定手段、１６…送受信アンテナ、１７…動作モード切換手段、２０…ＧＰＳ（全地球測位システム）、２１…ＥＦＩ（電子制御燃料噴射装置）、３０…加速度センサ、３１…傾斜センサ、３２…電圧センサ、４０…警告手段、６０…イグニッションＳＷ、６１…ストップランプＳＷ、６３…車載バッテリ、６６…内部電源、９０…チェックカプラ、Ｍ１…トランスポーテーションモード（第２の動作モード）、Ｍ２…インスペクションモード（第３の動作モード）、Ｍ３…ウェイクアップモード、Ｍ４…ノーマルモード、Ｍ５…プロバイダ契約なしノーマルモード（第１の動作モード）、Ｍ８…プロバイダ契約ありノーマルモード（第１の動作モード）、Ｍ９…セフトモード、Ｍ９…アラームセフトモード、Ｍ１０…スリープモード、Ｍ１１…アラームセフトモード、Ｍ１２…給油モード